(57)【要約】【課題】この出願の発明は、高度な制御システムを使用することなく、また、ダクトを配管することなく、倉庫内の上下間及び平面内において、温度および湿度等の環境を均一化する空調システムを提供することを目的とするものである。【解決手段】上記課題を解決するため、保管倉庫内に床置型空調装置を設置し、天井面、壁面、及び床面の所定の箇所に気流促進誘引ファン及びモニタリング温度センサーを取り付け、倉庫内の設備監視をＰＬＣによって統括的に一元管理するモニタリングシステムを設置したことを特徴とする空調システムである。【選択図】図１
2005030692.tif 000002
【特許請求の範囲】
【請求項１】
室内に空調装置を備える空調システムであって、側壁面に沿い気流を上昇させる上昇気流促進誘引ファンと、天井面に沿い気流を横方向に誘導する天井横吹気流促進誘引ファンと、天井から床方向へ下降させる下降気流促進誘引ファンと、床面に沿い気流を横方向に誘導する床面横吹気流促進誘引ファン、とからなると共に、これらのファンにより循環される気流の経路内に空調装置が位置することを特徴とする、空調システム。
【請求項２】
上昇気流促進誘引ファン及び下降気流促進誘引ファンは室内の側壁面上に位置することを特徴とする請求項１記載の空調システム。
【請求項３】
下降気流促進誘引ファンは室内の天井面に位置することを特徴とする請求項１または２記載の空調システム。
【請求項４】
上昇気流促進誘引ファンが位置する側壁面と対向する側壁面上に、下降気流促進誘引ファンが位置することを特徴とする請求項１乃至３の何れか１記載の空調システム。
【請求項５】
空調装置は、床面上の側壁面近傍に位置することを特徴とする請求項１乃至４の何れか１記載の空調システム。
【発明の詳細な説明】
【技術分野】
【０００１】
製薬工場・食品工場等の原材料や製品等を保管する倉庫の温度条件は、ＧＭＰ（Ｇｏｏｄ  Ｍａｎｕｆａｃｔｕｒｉｎｇ  Ｐｒａｃｔｉｃｅ：医薬品の製造管理及び品質管理に関する基準）の規定により、０℃〜３０℃が一般的であったが、昨今、製品品質向上のため、規定温度の管理が厳しくなる傾向にある。
この出願の発明は、製薬工場や食品工場等の原材料や製品を保管する倉庫の内部環境を、倉庫内の上下間及び平面内において、温度の環境を均一化する精密空調システムを合理的な構成により実現するものである。
【背景技術】
【０００２】
従来から工場や倉庫のような広い内部空間の空調は、吹き出し口を天井部分に設けると共に、その空間下方に吸い込み口を設け、空調機本体から発生する気流をダクトを介して、天井部分に設けた吹き出し口に連通して行われていた（例えば、非特許文献１参照）。
しかし、吹き出し口等に送風するダクトの取り付けは大掛かりなものとなるため、吹き出し口を室内の空調空間の上端部近傍に、吸い込み口を室内の空調空間の床面近傍に配置した空気調和装置を室内に設置したダクトレスによる空調システム（例えば、特許文献１参照）、或いは、室内天井面及びその近傍に空気循環装置を設置して倉庫内の温度・湿度等の均一化を図った空調設備（例えば、特許文献２参照）が知られている。
【０００３】
【非特許文献１】「空気調和換気設備  建築設備３」株式会社朝倉書店、１９８３年２月１０日、Ｐ１３４〜１３９
【特許文献１】特開平９−２２９３９７号公報（第２−３頁、図１）
【特許文献２】特開２０００−２８２４５号公報（第６−８頁、図５、９）
【発明の開示】
【発明が解決しようとする課題】
【０００４】
近年、製薬工場・食品工場等の原材料や製品等を保管するラック等の有する倉庫は、階高が２０ｍを超えることが多いが、倉庫内の上下間及び平面内において、温度等の環境を均一化するための装置が付設されていないため、倉庫内部空間の垂直方向における温度勾配が大きくなっていた。
【０００５】
更に、屋外に直接面する壁面からなる倉庫が多いので、外気の影響を受けやすい壁が存在し、又、原材料・包材・製品の保管状態により空間率が日々変動し、該空間率の変動による温度変化、更には、夏期・冬期における温度分布の相違が顕著になっていた。
【０００６】
製薬工場・食品工場等の原材料や製品等を保管するラック倉庫は、ラック、スタッカークレーン等搬送設備のスペースにより保管倉庫の容積が決定され、空調機のスペースがかなり限定された上、ローコストが求められている。
これまでの製薬・食品工場等の保管倉庫は、温度条件の規定が０℃〜３０℃と範囲が広かったので、空調システムは直吹方式で行っていて、空気循環システムを設置する例はなかった。
【０００７】
この出願の発明は、特段高度な制御システムや設備を使用することなく、倉庫内の上下間及び平面内において、温度・湿度等環境の均一化を図ることができる空調システムを提供することを目的とするものである。
【課題を解決するための手段】
【０００８】
この出願の発明は、上記課題を解決するため、倉庫内に床置型空調装置を設置し、天井面、壁面、及び床面の所定の箇所に誘引ファン及びモニタリングセンサーを取り付けたことを特徴とする空調システムである。
【０００９】
具体的構成は、室内に空調装置を備える空調システムであって、側壁面に沿い気流を上昇させる上昇気流促進誘引ファンと、天井面に沿い気流を横方向に誘導する天井横吹気流促進誘引ファンと、天井から床方向へ下降させる下降気流促進誘引ファンと、床面に沿い気流を横方向に誘導する床面横吹気流促進誘引ファン、とからなると共に、これらのファンにより循環される気流の経路内に空調装置が位置することを特徴とする空調システムである。
【００１０】
具体的構成の２は、上記空調システムにおける上昇気流促進誘引ファン及び下降気流促進誘引ファンは、室内の側壁面上に位置することを特徴とするものである。
【００１１】
具体的構成の３は、上記空調システムにおける下降気流促進誘引ファンは室内の天井面に位置することを特徴とするものである。
【００１２】
具体的構成の４は、上記空調システムにおける上昇気流促進誘引ファンが位置する側壁面と対向する側壁面上に、下降気流促進誘引ファンが位置することを特徴とするものである。
【００１３】
具体的構成の５は、上記空調システムにおける空調装置は、床面上の側壁面近傍に位置することを特徴とするものである。
【発明の効果】
【００１４】
このように、この出願の発明は、空冷ヒートポンプパッケージ等の空調装置としては最もシンプルな空調手段と、これから生ずる気流を空調すべき空間内に効率的に循環させる手段とからなる空調システムである。
これにより、空調装置が発生する冷気や暖気の気流を、空調すべき空間の側壁面・天井面・床面に沿わせて誘導し循環させることにより、
・空調装置の規模が小規模となり、設置スペースの制限を受け難い自由な設計ができるとともに、エネルギーやコストのロスを最小限にでき、
・季節変動等により、空調すべき空間に生ずる様々な温度分布条件毎に最適化できる、柔軟できめ細かい温度制御が実現し、
・空調すべき空間にラック等の気流循環の妨げとなる障害物が存在する場合でも、気流循環の流路を柔軟に調整することにより悪影響を極小化できる、
等の、従来例にはない長所が発生するものである。
【発明を実施するための最良の形態】
【００１５】
この出願の発明は、大空間を有する食品・製薬工場のラック等を有する倉庫において、年間を通じ規定温度範囲内（例えば、２４℃±３℃）に維持させる手段として、倉庫の床面上側壁面近傍に気流を上方に吹き出す空調装置を設置し、吹き出された気流が倉庫の内壁を沿うようにする誘引ファンを設置した空調システムである。
以下、この出願の発明である空調システムについて、図面に示す実施例に基づいて説明する。
【実施例】
【００１６】
図１は、大空間を有する食品・製薬工場の、特にラック等を有する倉庫内部空間を例とする空調システムを示す斜視図で、図２は、同ラック倉庫の垂直断面図、図３は、同ラック倉庫の平面図である。
【００１７】
ラック倉庫１には、所定の間隔でもって複数のラック２が床面３上に取り付けられ、スタッカークレーン等の搬送設備の影響を受けない位置に、床置型空調装置４を設置し、吹き出される気流は直接ラックに影響を与えることがないよう、床置型空調装置４の吹き出しチャンバーから風速１４ｍ／ｓｅｃ程度の静流で上方へ吹き出し、ラック倉庫１の空間部を形成する内壁に沿うような気流を形成する誘引ファン５が、壁面６、天井７、及び床面３に取り付けられる。
【００１８】
夏期は冷気（冷風は吹出温度１７℃〜１８℃）が上層部に到達しにくいという特性があるため、床置型空調装置４の吹出口から少し離れた直上に、上昇気流促進誘引ファン５ａを、床置型空調装置４の設置側の壁６ａに沿って取り付け、床置型空調装置４の吹出口から吹き出される冷気が、該上昇気流促進誘引ファン５ａにより、床置型空調装置４直上の上層部（天井部）まで促進されるようになっている。
【００１９】
上昇気流促進誘引ファン５ａによって室内空間上層部に到達した気流は、天井面７に沿って、床置型空調装置４を設置した側壁６ａと対向する側壁６ｂへ向けて流れるよう、横吹気流促進誘引ファン５ｂが所定の間隔で天井面７に取り付けられる。
この実施例では、両側壁６ａ、６ｂに対し平行とし、所定の間隔で、天井面に１５台の横吹気流促進誘引ファン５ｂが取り付けられている。
【００２０】
床置型空調装置４を設置した側壁６ａと対向する側壁６ｂ側のラック２間、及び気流の流れる方向に沿った両側壁６ｃ、６ｄの近傍、及び、気流が到達する壁６ｂ近傍の天井面７に、１５台の下降気流促進誘引ファン５ｃが取り付けられ、気流は下降気流促進誘引ファン５ｃによって側壁面に沿って下降し、床面３に到達した気流は、該床面３に設置された８台の横吹気流促進誘引ファン５ｄにより、床置型空調装置４の下部に設けた吸込口へ移送される。
【００２１】
冬期は暖気が下層部に到達しにくいという特性があるため、天井面７、側壁６ｂ、６ｃ、６ｄに下降気流促進誘引ファン５ｃ、５ｅ、５ｆが取り付けられ、下層部への高温空気の流下を促進させることで下層部の温度を上昇させる。
【００２２】
ラック倉庫内の上下間及び平面内における温度等の環境を均一化する設備監視の効率化を図るため、ＰＬＣ（プログラマブルコントローラ）によって統括的に一元管理するモニタリングシステムを設置し、温度監視を遠方で行えるよう、倉庫１の空間部における数ヶ所に、モニタリング温度センサー８が設置される。
【００２３】
この実施例では、ラック部全体が規定温度内に維持されているか否かを監視する為、１２点のモニタリング温度センサー８が設置され、このモニタリング温度センサー８のどのポイントでも規定温度の上限、下限に近づくと、設定温度の切替をモニタリングシステムのＰＬＣによって自動的に行われる。
このモニタリング温度センサー８によって測定された温度のどれか１箇所でも規定温度の上限、下限に近づくと、空調装置の設定温度を「１ｄｅｇ上昇させる」「１ｄｅｇ下降させる」機能をモニタリングシステムのＰＬＣ内に、また、上限、下限の推移により冷房、暖房の切替もＰＬＣ内に組み込まれる。
【００２４】
空調装置設定温度の自動切替時には切替温度の逸脱時間の長短を判断して設定変更が行われようにタイマー機能が設置される。一次的な逸脱による過剰な制御負荷を防止するための機能である。
例えば、規定温度が２４℃±３℃（２１℃〜２７℃）とすると、２６．５℃が１２０ｓｅｃ継続された場合に、設定温度を「１ｄｅｇ上昇する」機能を設置する。また、この自動切替によって設定温度が変更された場合でも、規定温度内で５０ｍｉｎ推移した場合には設定温度を基に戻す機能が付加される。
【００２５】
倉庫内部の空調システムは上記した構成からなり、夏期等、冷気が上層部に到達しにくい時期は、天井部に設置した下降気流促進誘引ファン５ｃは冷気上昇を妨げるため停止状態とし、また空調装置直上の上層部への冷気上昇を促進するために、空調装置設置側の壁に設置した上昇気流促進誘引ファン５ａは稼働状態とする。
【００２６】
いっぽう、冬期等、暖気が下層部に到達しにくい時期は、空調装置設置側の壁に設置した上昇気流促進誘引ファン５ａは稼働状態とするが、温度の高い空気を下層部に流下させることが必要であり、側壁面に設けた下降気流促進誘引ファンの能力を強化し、下層部への高温空気の流下促進させることで、下層部の温度上昇を図る。
【図面の簡単な説明】
【００２７】
【図１】本発明の保管倉庫内における空調システムを示す斜視図である。
【図２】本発明の保管倉庫内における空調システムを示す縦断面図である。
【図３】本発明の保管倉庫内における空調システムを示す平面図である。
【符号の説明】
【００２８】
１    保管倉庫
２    ラック
３    床面
４    床置型空調装置
５    誘引ファン
５ａ  上昇気流促進誘引ファン（側壁面）
５ｂ  横吹気流促進誘引ファン（天井面）
５ｃ  下降気流促進誘引ファン（天井面）
５ｄ  横吹気流促進誘引ファン（床面）
５ｅ  下降気流促進誘引ファン（側壁面）
５ｆ  下降気流促進誘引ファン（側壁面）
６    側壁面
６ａ  床置型空調装置を設置した側の壁
６ｂ  床置型空調装置側の壁と対向する壁
６ｃ  気流の流れる方向に沿った壁
６ｄ  気流の流れる方向に沿った壁
７    天井面
８    温度モニタリングセンサー
【図１】
2005030692.tif 000003
【図２】
2005030692.tif 000004
【図３】
2005030692.tif 000005